(57)【要約】【課題】操作者が容易にランプの交換時期を認識でき、取扱説明書を参照しなくてもランプの耐久時間や、手配のために必要なランプの部品番号を知ることができる分光光度計を提供する。【解決手段】電源投入直後に光源部４を構成するランプの累積点灯時間が耐久時間を越えたとき警報を表示器２に表示する。また、ランプの累積点灯時間と耐久時間と部品番号を記載した操作者指定の画面を表示器２に表示する。なお、電源投入直後にランプの累積点灯時間が耐久時間を越えたため警報が表示されたとき、警報の確認操作がない場合、演算制御部１は次の操作への移行を阻止する。【選択図】          図３
2011085606.tif 000002
【特許請求の範囲】
【請求項１】
光源からの光を分光器を介して試料に照射し前記試料からの透過光あるいは反射光を検出器に導く構造、または、光源からの光を試料に照射し前記試料からの透過光あるいは反射光を分光器を介して検出器に導く構造のいずれかを備えた分光光度計において、光源の累積点灯時間が耐久時間を越えた時点での警報と、操作者指定の画面に光源の累積点灯時間と光源の情報を表示する手段を備えていることを特徴とする分光光度計。
【請求項２】
光源の累積点灯時間が耐久時間を越えたため警報が表示されるのは電源投入直後であり、この場合、次の操作への移行を阻止する手段を有することを特徴とする請求項１記載の分光光度計。
【請求項３】
情報が光源の耐久時間と部品番号であることを特徴とする請求項１記載の分光光度計。
【発明の詳細な説明】
【技術分野】
【０００１】
本発明は、物質のスペクトルや定量、タイムコース測定をする分光光度計に関し、特には、使用されている光源の寿命とその取り扱いに関する。
【背景技術】
【０００２】
分光光度計にはいろいろな型式があるが、通常は、光を放射する光源と、この光を分光する分光器と、分光された光が照射される試料と、試料を透過した光を電気信号に変換する検出器と、この電気信号をデータ処理するコンピュータ等からなる構造を有している。他の型式として、例えば、光を放射する光源と、この光が照射される試料と、試料を透過した光を分光する分光器と、分光された光を電気信号に変換する検出器と、この電気信号をデータ処理するコンピュータ等からなる構造を有しているものがある。
【０００３】
このような分光光度計は、物質の定性等のための光の吸収スペクトル測定のみならず、物質の濃度測定のための定量測定や、酵素反応速度測定等のための吸光度の時間変化測定等幅広い分野で使用されている。
【０００４】
分光光度計の光源は、可視光領域用として例えばハロゲンランプ（以下ＷＩランプという）が使用され、紫外光領域用として例えば重水素ランプ（以下Ｄ２ランプという）が使用される。いずれのランプにおいても寿命があり、ＷＩランプの耐久時間は例えば２０００時間程度であり、Ｄ２ランプの耐久時間は例えば５００時間程度である。
【０００５】
ランプの寿命を考慮すると、少し長い時間測定を中止するときはこれらのランプを消灯しておくのが好ましい。しかし、分光光度計ではランプが点灯してから熱的に安定するまでにある程度の時間を要するので、実際に測定を行うときだけランプを点灯するようにしたのでは、安定なデータが得られない。このような問題を解決したランプ自動消灯装置を備えた分光光度計が提供されている（例えば特許文献１参照）。
【先行技術文献】
【特許文献】
【０００６】
【特許文献１】特開平１０−３００５７７号公報
【発明の概要】
【発明が解決しようとする課題】
【０００７】
従来、分光光度計の光源として使用されているランプの累積点灯時間は計数され操作者により指定される画面に表示される。また、ランプの交換時期については、操作者が定期的に前記画面を開きランプの累積点灯時間を知り、別途取扱説明書等に記載されているランプの耐久時間と比較して確認していた。電源をＯＦＦにしても消去されないメモリに記憶されている累積点灯時間の計数はランプ交換時に操作者がリセットボタンを押しゼロにリセットしてから開始される。
【０００８】
本発明の目的は、操作者が定期的にランプの累積点灯時間を調査しなくても、容易にランプの交換時期を認識でき、取扱説明書を参照しなくてもランプの耐久時間や、手配のために必要なランプの部品番号を知ることができる分光光度計を提供することにある。
【課題を解決するための手段】
【０００９】
本発明は、光源からの光を分光器を介して試料に照射し前記試料からの透過光あるいは反射光を検出器に導く構造、または、光源からの光を試料に照射し前記試料からの透過光あるいは反射光を分光器を介して検出器に導く構造のいずれかを備えた分光光度計において、光源の累積点灯時間が耐久時間を越えた時点での警報と、操作者指定の画面に光源の累積点灯時間と光源の情報を表示する手段を備えたものである。また、光源の累積点灯時間が耐久時間を越えたため警報が表示されるのは電源投入直後であり、この場合、次の操作への移行を阻止する手段を有する。なお、情報は光源の耐久時間と部品番号である。したがって、操作者が容易にランプの交換時期を認識でき、取扱説明書を参照しなくてもランプの耐久時間や、手配のために必要なランプの部品番号を知ることができる。
【発明の効果】
【００１０】
操作者が定期的にランプの累積点灯時間を確認しなくても、誰にでも容易にランプの交換時期を認識できる。また、分光光度計の保守を目的とし、定期的にランプの累積点灯時間を確認する画面を開く際、交換の目安となるランプの耐久時間や、手配のために必要なランプの部品番号が同一画面に表示されているため、取扱説明書を参照しなくてもランプの交換時期を予測し、ランプを購入することが可能となる。
【図面の簡単な説明】
【００１１】
【図１】本発明の実施例による分光光度計の動作の概要を示す図である。
【図２】本発明の実施例によるランプ情報表示画面である。
【図３】本発明の実施例による分光光度計の概略構成を示す図である。
【発明を実施するための形態】
【００１２】
電源投入直後に光源の累積点灯時間が耐久時間を越えたとき、表示される警報は赤色文字で表示される。あるいは、他の警報と同色でもよい。
【００１３】
電源投入直後に光源の累積点灯時間が耐久時間を越えたため警報が表示されたとき、次の操作への移行を阻止する手段は、ランプを交換しメモリに記憶されている累積点灯時間のリセット操作をしないときでかつ、前記警報を確認済であることを入力しない場合に機能する。
【００１４】
ランプの累積点灯時間は、分光光度計の電源をＯＮ／ＯＦＦしても消去されないメモリに保管されている。
【実施例】
【００１５】
本発明の実施例について図１〜３を参照して説明する。図１は、本発明の実施例による分光光度計の動作の概要を示す図である。図２は、本発明の実施例によるランプ情報表示画面である。図３は、本発明の実施例による分光光度計の概略構成を示す図である。
【００１６】
本発明の分光光度計は、図３に示すように、光を放射する光源部４と、前記光を分光する分光器５と、分光された光を試料透過後に光電流に変換する検出器６と、前記光電流を電圧信号に変換する増幅器７と、前記電圧信号のデータ処理や制御器３を介して光源部４と分光器５の制御などをする演算制御部１と、測定データや警報やランプ情報や操作画面などを演算制御部１からの信号に従って表示する表示器２からなる構造を有している。実施例による分光光度計はスタンドアロン機（分光光度計のみで操作・制御できる）からなる構造を有しているが、演算制御部１をパーソナルコンピュータで置き換えたＰＣ制御機からなる構造でもよい。
【００１７】
光源部４は、ＷＩランプと、Ｄ２ランプと、ランプ切り換えミラーからなる構造を有する。演算制御部１は、制御器３を介してランプ切り換えミラーを駆動し、可視光領域で測定するときはＷＩランプの光が、紫外光領域で測定するときはＤ２ランプの光が分光器５に入射するように光源部４を制御する。
【００１８】
本発明の分光光度計は、電源投入直後に光源の累積点灯時間が耐久時間を越えたとき警報を表示する機能と、その場合、次の操作への移行を阻止する機能を備えている。これらの機能を図１に示すフローチャートを参照して説明する。なお、Ｄ２ランプあるいはＷＩランプの累積点灯時間は、演算制御部１により各々のランプについて点灯されているときの時間が累積計数され電源をＯＦＦにしても消去されないメモリに保存される。この累積点灯時間は、操作者のリセット操作によりゼロとなり、再度ゼロから累積計数が始まる。また、Ｄ２ランプとＷＩランプの耐久時間は分光光度計を作動させるソフトウェアとともにメモリに保存されている。まず最初のステップＳ（以下「Ｓ」という）１で分光光度計の電源が投入され分光光度計は起動する。
【００１９】
演算制御部１はＤ２ランプの累積点灯時間（ＴＤＳ）とＤ２ランプの耐久時間（ＴＤＬ）を比較し、ＴＤＳ＞ＴＤＬが成立していればＳ３へ進み、不成立の場合はＳ６へ進む（Ｓ２）。表示器２は警報画面に「Ｄ２ランプが交換時期を過ぎています。今からランプを交換しますか？」を表示する。操作者はＤ２ランプを交換する場合キー「Ｙ」を押し、Ｄ２ランプを交換しない場合キー「Ｎ」を押す。「Ｙ」が押された場合はＳ４に進み、「Ｎ」が押された場合はＳ６へ進む。これらのキー操作がないときは次の動作に移行できない（Ｓ３）。表示器２はＤ２ランプ点灯時間のリセット画面を表示し、操作者はその画面でＤ２ランプの累積点灯時間ＴＤＳをゼロにリセットする（Ｓ４）。表示器２はメッセージ画面に「電源をＯＦＦにしてください。」を表示する。操作者は装置の電源をＯＦＦにしてからＤ２ランプの交換をし、Ｓ１に進む（Ｓ５）。
【００２０】
演算制御部１はＷＩランプの累積点灯時間（ＴＷＳ）とＷＩランプの耐久時間（ＴＷＬ）を比較し、ＴＷＳ＞ＴＷＬが成立していればＳ７へ進み、不成立の場合はＳ１０へ進む（Ｓ６）。表示器２は警報画面に「ＷＩランプが交換時期を過ぎています。今からランプを交換しますか？」を表示する。操作者はＷＩランプを交換する場合キー「Ｙ」を押し、ＷＩランプを交換しない場合キー「Ｎ」を押す。「Ｙ」が押された場合はＳ８に進み、「Ｎ」が押された場合はＳ１０へ進む。これらのキー操作がないときは次の動作に移行できない（Ｓ７）。表示器２はＷＩランプ点灯時間のリセット画面を表示し、操作者はその画面でＷＩランプの累積点灯時間ＴＷＳをゼロにリセットする（Ｓ８）。表示器２はメッセージ画面に「電源をＯＦＦにしてください。」を表示する。操作者は装置の電源をＯＦＦにしてからＷＩランプの交換をし、Ｓ１へ進む（Ｓ９）。演算制御部１は装置の初期化動作を実行する（Ｓ１０）。表示器２は分光光度計の操作画面を表示する（Ｓ１１）。
【００２１】
本発明の分光光度計は、図２に示すように、操作者の指定によりランプ情報画面２１を表示器２に表示できる。ランプ情報画面２１は、表示器２に表示される「操作画面メニュー」の中の「装置の保守／点検」を選択し表示されるリストから「ランプ情報」を指定すると表示される。ランプ情報画面２１は、ＷＩランプとＤ２ランプそれぞれの累積点灯時間と、耐久時間と、部品番号からなる構造を有する。
【００２２】
本発明は以上の構成であるから、操作者が定期的にランプの累積点灯時間を確認しなくても、図１のＳ３あるいはＳ７に示すように表示器２にランプの交換を要求する警報が表示されるため、誰にでも容易にランプの交換時期を認識できる。また、分光光度計の保守を目的とし、定期的にランプの累積点灯時間を確認するランプ情報画面２１を開くと、交換の目安となるランプの耐久時間や、手配のために必要なランプの部品番号が同一画面に表示されているため、取扱説明書を参照しなくてもランプの交換時期を予測し、ランプを購入することが可能となる。
【００２３】
図１〜３に示す実施例では、光源部４がＷＩランプとＤ２ランプからなる構造であるが、いずれか１個のみのランプからなる構造でも本発明は適用可能である。さらに表示手段を１個とし両情報をこの１個の表示手段で表示する例を示したが、表示手段を２個としそれぞれ別々の情報を表示するようにしてもよい。このように、分光光度計は種々の構造とすることができ、本発明はこれら変形例を包含する。また、本発明においては、光源の累積点灯時間が耐久時間を越えた時点での情報を「警報」と表現し、光源の累積点灯時間と光源に関する情報については単に「情報」と表現したが、前者の情報は分光光度計の耐久性に係る重要な情報であることから「警報」と表現し、後者の情報は「警報」程の重要性がないことから単に「情報」と表現している。したがって、いずれも表示器２にて表示可能な形態の情報である。以上から、本発明における「警報」の用語は上述のとおり解釈されるものである。
【産業上の利用可能性】
【００２４】
本発明は、物質のスペクトルや定量、タイムコース測定をする分光光度計にも適用可能である。
【符号の説明】
【００２５】
１  演算制御部
２  表示器
３  制御器
４  光源部
５  分光器
６  検出器
７  増幅器
２１  ランプ情報画面
【図１】
2011085606.tif 000003
【図２】
2011085606.tif 000004
【図３】
2011085606.tif 000005